(57)【要約】【課題】複数枚のリムーバブルな記録媒体へのダビングを簡単にリスト化して、ダビングを行うことができるダビング装置を提供する。【解決手段】放送番組や番組情報を記録する第１の記録媒体５と、第１の記録媒体に記録された放送番組をダビングするリムーバブルな一つ又は複数の第２の記録媒体６を用いて、第１の記録媒体に記録された放送番組を第２の記録媒体にダビング制御する制御部３とを備えたダビング装置であって、制御部は、第１の記録媒体に記録されている番組情報より録画日順に番組情報を読み出してダビング番組選択の一覧表示を行い（Ｓ１）、ダビング番組選択の一覧表示からダビングしたい番組を選択し（Ｓ２）、選択された番組と同一条件の番組を検索して表示し不要番組は除外し（Ｓ３）、ダビング条件設定を選択し一つ又は複数の第２の記録媒体にダビングするためのダビングリストを生成する（Ｓ４）。【選択図】図２
2008251128.tif 000002
【特許請求の範囲】
【請求項１】
放送番組や番組情報を記録する第１の記録媒体と、前記第１の記録媒体に記録された放送番組をダビングにより記録するリムーバブルな一つ又は複数の第２の記録媒体を用いて、前記第１の記録媒体に記録された放送番組を前記第２の記録媒体にダビング制御する制御手段とを備えたダビング装置であって、
前記制御手段は、
前記第１の記録媒体に記録されている番組情報より録画日順に番組情報を読み出してダビング番組選択の一覧表示を行い、
ダビング番組選択の一覧表示からユーザのダビング希望番組を前記ユーザに選択させ、
選択された番組と同一条件の番組を検索して表示し不要番組は除外し、
ダビング条件設定を選択し、前記一つ又は複数の第２の記録媒体にダビングするためのダビングリストを生成する
ことを特徴とするダビング装置。
【請求項２】
請求項１に記載のダビング装置において、
前記制御手段は、前記ダビング条件設定として、記録したままの録画モードの選択時に、記録したときの録画モードのままで、一つの第２の記録媒体の容量に納まる範囲で番組を録画日順に選択し、選択された番組と同一条件の番組を前記一つ又は複数の第２の記録媒体にダビングするためのダビングリストを生成することを特徴とするダビング装置。
【請求項３】
請求項１に記載のダビング装置において、
前記制御手段は、前記ダビング条件設定として、録画モード指定の選択時に、記録されている番組のビットレートを指定した記録モードでレート変換し、一つの第２の記録媒体の容量に納まる範囲で番組を録画日順に選択し、選択された番組と同一条件の番組を前記一つ又は複数の第２の記録媒体にダビングするためのダビングリストを生成することを特徴とするダビング装置。
【請求項４】
請求項１に記載のダビング装置において、
前記制御手段は、前記ダビング条件設定として、前記第２の記録媒体の枚数指定の選択時に、指定された枚数の記録容量に合わせて選択されたダビング希望全番組の記録容量から一番組当たりの記録レートを計算して最適なダビングレートを選択し、録画日順に指定された枚数の第２の記録媒体へのダビングリストを作成することを特徴とするダビング装置。
【請求項５】
請求項４に記載のダビング装置において、
前記制御手段は、前記第２の記録媒体の枚数指定の選択時に、指定された枚数で選択されたすべてのダビング番組を割り振りできない場合に、警告表示を行い、最低必要枚数を表示することを特徴とするダビング装置。
【発明の詳細な説明】
【技術分野】
【０００１】
本発明は、テレビ放送などのデジタル画像をハードディスク（以下ＨＤＤという）からデジタル多用途ディスク（以下、ＤＶＤという）などのリムーバブルな記録媒体にダビング可能なダビング装置に関する。
【背景技術】
【０００２】
近年、ＨＤＤレコーダでは、記録媒体の大容量化が進み、大量のデジタル画像（番組など）を記録して保存することができる。しかし、ＨＤＤへ取り貯めた連続番組（シリーズ番組）を、他の記録媒体にダビングしたいとき、一つ一つ番組を選択することが必要であり、煩わしいものがある。
【０００３】
この問題を解決するために、ユーザが選択した番組に対し、同じタイトル名や開始・終了時間及び曜日などの条件が一致する番組を自動検索し、検索番組から必要な番組を選択した後、ダビングリストを生成するものがある（例えば、下記の特許文献１参照）。また、録画予約時にダビングリスト作成方法の設定を行い、録画後の条件（番組数など）が成立したときにダビング可能なリストを生成するものがある（例えば、下記の特許文献２参照）。
【特許文献１】特開２００６−３３６５３号公報
【特許文献２】特開２００５−３４７８２５号公報
【発明の開示】
【発明が解決しようとする課題】
【０００４】
しかしながら、上述した特許文献１では、番組の自動検索は行うが、ダビングリストへの反映はユーザが選択する必要がある。また、一枚のディスクに収まる場合は問題ないが、往々にして一枚のディスクに収まらないか、若しくは無理に一枚に収めるために、記録レートを落としてしまい、画質を低下させてしまうという問題がある。
【０００５】
また、上述した特許文献２では、事前設定で複数枚のディスクにダビングできるように設定でき、そのままの画質でダビングできるが、かなり設定が複雑であり面倒である。また、ダビングに必要な番組数がそろわなければダビングリストに反映されないため、設定を変更したり、番組を個別に選択したりして、ダビングを行わなければならない。最終回などで番組が拡大（３０分延長など）されたときは、設定通りにダビングが行われない恐れもある。
【０００６】
そこで、本発明は上述した点に鑑みてなされたもので、複数枚のリムーバブルな記録媒体へのダビングを簡単にリスト化して、ダビングを行うことができるダビング装置を提供するものである。
【課題を解決するための手段】
【０００７】
上記目的を達成するための手段として、本発明に係るダビング装置は、放送番組や番組情報を記録する第１の記録媒体と、前記第１の記録媒体に記録された放送番組をダビングにより記録するリムーバブルな一つ又は複数の第２の記録媒体を用いて、前記第１の記録媒体に記録された放送番組を前記第２の記録媒体にダビング制御する制御手段とを備えたダビング装置であって、前記制御手段は、前記第１の記録媒体に記録されている番組情報より録画日順に番組情報を読み出してダビング番組選択の一覧表示を行い、ダビング番組選択の一覧表示からユーザのダビング希望番組を前記ユーザに選択させ、選択された番組と同一条件の番組を検索して表示し不要番組は除外し、ダビング条件設定を選択し、前記一つ又は複数の第２の記録媒体にダビングするためのダビングリストを生成することを特徴とする。
【発明の効果】
【０００８】
本発明によれば、選択した番組と同一条件の一連の連続番組のダビングリストを簡単に作成し、ダビングに際しての作業を大幅に削減することができる。
【発明を実施するための最良の形態】
【０００９】
以下、本発明の実施の形態を説明する。
実施の形態１．
図１は、本発明の実施の形態１に係るダビング装置の構成を示すブロック図である。入力部４は、図示しないリモートコントローラ（以下、リモコンという）からの制御信号を受信して制御部３に供給する。制御部３は、ＣＰＵなどから構成され、入力部４で受信した制御信号に応じて各部の制御を行う。
【００１０】
チューナ部１は、リモコンの制御操作に基づいて放送番組や番組タイトルなどの番組情報を受信する。受信した放送番組や番組情報は、画像データ作成部２でデコードされ、放送番組は第１の記録媒体（以下、第１の記録媒体をＨＤＤと略記する）５又はリムーバブル（着脱可能）な第２の記録媒体（以下、第２の記録媒体をＤＶＤと略記する）６に記録され（ここでは、ＨＤＤ５に記録されることとする）、番組情報は情報記録部７にそれぞれ記録される。なお、情報記録部７は、ＨＤＤ５の一部であってもよい。
【００１１】
リモコンの制御操作により、ユーザが所望する放送番組をＨＤＤ５に記録することができ、ＨＤＤ５に記録された番組の中からユーザ操作による番組選択により、ＤＶＤ６へダビングすることができる。ユーザが番組選択操作を行うための画面は、情報記録部７から読み出されたデータが、表示画面生成部９により画面表示が可能な表示データに変換された後、出力部１０を介して図示しないモニタ部に供給されることで表示される。ダビングの際、画像処理部８でデータ量を低減させ、ＤＶＤ６へ多くの番組をダビングすることもできる。
【００１２】
図２は、本発明の実施の形態１に係る制御部３の制御に基づくダビングリスト作成・実行処理のフローチャートである。シリーズ番組のＨＤＤ５からＤＶＤ６へのダビングとして、まず、情報記録部７よりＨＤＤ５に記録されている番組の番組情報を録画日順にソートした、例えば最新８番組の番組情報を読み出して、図３に示すようなダビング番組選択の一覧表示を行う（ステップＳ１）。一覧表示している番組は、カーソルを順次送っていく、若しくはページ送りなどにより８番組より古い番組を表示して選択することも可能である。
【００１３】
図３に示すダビング番組選択の一覧は、静止画や動画のサムネイル画像とそれに付随したタイトル名を表示し、カーソルが当たっている番組に対しては、更に番組の詳細情報を表示することができる。記録した番組の選択一覧表示は、検索しやすいように、録画日順だけではなく、タイトル名順、ジャンル順に表示を切り換えることができる。ここで、シリーズ番組とは、選択番組と条件が一致する番組のことで、例えば、記録番組のタイトル名が同じ、若しくは記録開始時刻、記録終了時刻、記録チャンネルが同じ番組をいう。
【００１４】
図３に示すダビング番組選択の一覧表示からユーザはダビング希望番組にカーソルを移動して選択決定を行い（ステップＳ２）、選択操作により選択された番組と同じ条件（シリーズ番組）の番組を検索して表示し、不要番組は除外する（ステップＳ３）。
【００１５】
すべての番組を検索した結果を、図４に示すようなダビング選択一覧として表示する。図４に示すダビング選択一覧の表示は、検索条件の候補番組をすべて表示するため、既に途中の番組（放送日）までダビングが行われている場合も考えられるので、ダビングが済んでいる番組に対してはダビング済みマークが表示され区別できる。ダビング候補として選ばれた番組に関しては、カーソルを当てることにより詳細の内容を確認することができ、不要な場合は除外することが可能である。
【００１６】
次に、ダビング条件設定を選択し、ダビングリストを作成する（ステップＳ４）。まず、図５に示すようにダビング条件設定画面を表示する。ダビング条件設定では、項目「記録したままの録画モード」、「録画モード指定」、「ディスク枚数指定」の三種類が選択できる。このとき、ダビングする記録媒体により容量が異なるため、「使用ディスク：ＤＶＤ片面一層」の項目を選択すると、図６に示す使用ディスク設定画面が表示されて、ディスクの設定項目に従い、ＤＶＤの片面一層、片面二層、両面一層などの選択を行うことができる。ＤＶＤの片面二層ディスクを選択すると、自動的に下の容量部分が、例えば８.５ＧＢとしてディスクの容量を表示する。また、特殊なディスクで、自動で表示される容量と実際のディスク容量が異なるときのために、容量もユーザが調節することができる。
【００１７】
図５に示すダビング条件設定画面において、項目「記録したままの録画モード」を選択したときは、記録したときの録画モードそのままで、録画日の古い番組から順にディスク１枚の容量に納まる範囲で番組を選択して行き、ディスク１のダビングリストを作成する。ディスク１リストにダビング候補のすべての番組が収まらないときは、新しくディスク２リストとして上記方法でダビングリストを作成し、以降すべてのダビング候補番組がダビングリストに納まるまでこの自動リスト化を繰り返す。これにより、ダビングに必要なディスク枚数が確定する。
【００１８】
図５に示すダビング条件設定画面において、項目「録画モード指定」は、録画したときの番組の録画モードとは別に、ダビング時の記録モードを指定するもので、記録されている番組のビットレートを指定した記録モードでレート変換してダビングする。１枚のディスクにより多くの番組をダビングするために、画質は低下するが、記録レートを下げてダビングを行うことができる。指定されたダビングの記録モードで、ダビング候補番組のレートを変換し、ディスク１枚に納まる範囲で録画日の古い番組から順に選択して行き、ディスク１のダビングリストを作成する。ディスク１リストに納まらないときは、新しくディスク２リストとして上記方法でダビングリストを作成し、以降すべてのダビング候補番組がダビングリストに納まるまでこの自動リスト化を繰り返す。
【００１９】
図５に示すダビング条件設定画面において、項目「ディスク枚数指定」は、ユーザがダビングしたいディスク枚数を指定して、そのディスク枚数の記録容量にあわせて、全ダビング候補番組の記録容量から一番組あたりの記録レートを自動的に計算して最適なダビングレートを選択し、それぞれのディスクへのダビングリストを作成する。ダビングリストの番組登録順は記録日の古い順とする。記録レートを設定できる一番低いレートにしても、ユーザが指定した枚数ではすべてのダビング候補番組を割り振りできなくリスト化することができないときは、警告表示を出し、最低必要枚数を表示することもできる。
【００２０】
ダビングリストは、図７のダビングリスト確認画面に示すように、ディスクＮｏごとに記録対象番組の一覧を表示する。図７に示すダビングリストは、保存することができ、実際のダビングは、後日改めてダビングリストを読み出すことにより実行させることができる。また、番組単位で録画するディスクを変更することも可能であり、その場合、ディスクに収まるレートが再計算される。
【００２１】
図７に示すダビングリスト確認画面において、「ダビング実行」を選択すると、ディスクＮｏ順にダビングの実行が行われる（ステップＳ５）。最初に、ディスク１リストのダビングが開始され、ディスク１リストで選択された番組が、ＤＶＤなどの記録メディアへダビングが開始される。ＤＶＤをダビング装置に挿入していない記録メディア無しの状態で、ダビング実行操作を行うと、ディスク挿入を促す警告が表示される。また、挿入したディスクが一部記録済みで容量が不足している場合や、記録禁止ディスク、ディスク種類設定で設定した種類と異なる場合などには、ダビングを実行せず、ディスク確認を促す表示を行う。
【００２２】
ディスク１リストのダビングが終了し、次に実行されるディスク２のリストが存在するときは、ディスクを交換し次のダビング実行を促す表示を行う（ステップＳ６）。ディスクを交換して実行確認を行う（ステップＳ７）ことで、次のディスク２リストのダビングを開始する。また、ディスク交換要求のときに中断することもでき、後日続きを行うことが可能である。ダビングリストに存在するディスクＮｏ別のリストすべてのダビングが終了するまで上記動作を繰り返し、すべてのダビング候補番組を一枚若しくは複数枚のＤＶＤなどにダビングすることができる。
【００２３】
この他、図７のダビングリスト一覧でディスクＮｏを選択して、指定のディスクＮｏのみをダビングすることもできる。ダビングが実行されたディスクＮｏに関しては、図８に示すような一部ダビング済みのダビングリスト確認画面において、ハッチングなどしてダビング実行されていることを知らしめる。
【００２４】
実施の形態２．
図９は、本発明の実施の形態２に係るダビング装置の構成を示すブロック図である。図９に示す実施の形態２に係るダビング装置の構成において、図１に示す実施の形態１に係るダビング装置の構成と同一部分は同一符号を付してその説明は省略する。図９に示す実施の形態２の構成では、図１に示すＤＶＤ６に、ディスク交換装置１１が装着されており、複数枚のディスクを自動で交換することが可能である。
【００２５】
図１０は、本発明の実施の形態２に係る制御部３の制御に基づくダビングリスト作成・実行処理のフローチャートである。シリーズ番組のＨＤＤ５らＤＶＤ６へのダビングとして、本実施の形態２のステップＳ１１からステップＳ１４までの処理は、図２に示したステップＳ１からステップＳ４までの処理と同様である。すなわち、記録されている番組の一覧表示を行った（ステップＳ１１）後、ダビングしたい番組を選択決定し（ステップＳ１２）、選択された番組と同じ条件（シリーズ番組）の番組を検索表示し（ステップＳ１３）、ダビング条件設定を行い、ダビングリストを作成する（ステップＳ１４）。
【００２６】
ダビングリストは、図７に示すように、ディスクＮｏごとに記録対象番組の一覧を表示する。図７に示すダビングリストは、保存することができ、実際のダビングは後日改めてダビングリストを読み出すことにより実行させることができる。また、番組単位で録画するディスクを交換することも可能であり、その場合、ディスクに収まるレートが再計算される。
【００２７】
図７に示すダビングリスト確認画面において、「ダビング実行」を選択すると、自動ディスク交換装置１１にダビングに必要分だけディスクが挿入されているかの確認画面が表示される。必要分だけ、ディスクが挿入されていれば、確認実行を選択してダビングを開始させ、ディスクが挿入されていなければ、必要なディスクを挿入する（ステップＳ１５）。
【００２８】
実際にダビングが開始されると、まず、必要なディスク枚数分挿入されているかの確認を行う。必要枚数挿入されていない場合や、設定と異なるディスクが挿入されている場合などのときは、警告表示を行う。
【００２９】
最初に、ディスク１リストのダビングが開始され、ディスク１リストで選択された番組が、自動ディスク交換装置１１に挿入されているディスクへダビングが開始される。ディスク１リストのダビングが終了すると、次に実行されるディスク２のリストが存在するときは、自動で自動ディスク交換装置１１内の別のディスクと交換し、連続でダビングを行う。ダビングリストが存在するかぎり、自動でディスクを交換してすべてのリストを一度の操作でダビングすることができる。
【００３０】
チェンジャ枚数以上のダビングのときは、可能なディスク枚数までダビングを実行した後、一旦中断し、ＤＶＤディスクを交換した後、再度続きから実行を選択し、ダビングを続けることが可能である。
【００３１】
実施の形態３．
本発明の実施の形態３を説明する。上記ダビングが終了した後に、記録容量に余裕がある場合、又は書き換えることにより追加のダビングを行わせることができる。図１１は、選択一覧で追加したい番組を選択したときのダビングリスト確認画面を示す。追加ダビング実行を選択すると、まず、装着されているＤＶＤディスクの記録容量で余裕があるか判断し、余裕がある場合には記録を実行する。ディスクが装着されていないときは、ダビングしたいディスク挿入を促す警告を表示する。記録容量に余裕がない場合は、記録容量に収めるレートを判断し、そのレートが実行可能であればその変更されたレートで追加分の記録を実行する。
【００３２】
レート変換を行っても実行可能でなければ、図１２のような別のディスクに記録するかこのディスクを書き換えて記録するかの選択画面が表示され、別のディスクに記録を選択した場合は、別のディスクが装着されたかを判断し記録を実行する。このディスクを書き換えて記録を選択した場合は、記録されている番組に追加番組を加えたすべての番組を記録できるレートを計算し、そのレートで実行可能であればその計算されたレートで記録しなおす。ディスクに最初から記録されている番組がＨＤＤ５に保存されていれば、そのＨＤＤ５の番組コンテンツをレート変換してＤＶＤに記録する。ディスクに記録されている番組がＨＤＤ５に保存されていなければ、そのＤＶＤの番組コンテンツを読み出してＨＤＤ５に写し（コピーし）レート変換してＤＶＤに記録しなおす。なお、著作権管理についてはコピー可能な番組コンテンツであることを識別するとともに必要な場合上記ＤＶＤからＨＤＤ５へのコピーはムーブによって行われる。
【００３３】
なお、本発明は、リムーバブルな記録媒体としてＤＶＤについて説明したが、ＤＶＤに限るものではなく、ＢＤやＨＤ  ＤＶＤでもよいことは言うまでもなく、さらに、ディスクでなく、ＳＤカードやメモリスティックなどのメモリカードであってもよい。
【図面の簡単な説明】
【００３４】
【図１】本発明の実施の形態１に係るダビング装置の構成を示すブロック図である。
【図２】本発明の実施の形態１に係る制御部の制御に基づくダビングリスト作成・実行処理のフローチャートである。
【図３】ダビングする番組を選択するための画面イメージ図である。
【図４】選択した番組のシリーズ番組一覧を表示する画面イメージ図である。
【図５】ダビングリスト作成方法を選択するための画面イメージ図である。
【図６】ダビンに使用するディスク設定の画面イメージ図である。
【図７】ダビングリストの画面イメージ図である。
【図８】ダビングリストの画面で一部実行済みのイメージ図である。
【図９】本発明の実施の形態２に係るダビング装置の構成を示すブロック図である。
【図１０】本発明の実施の形態２に係る制御部の制御に基づくダビングリスト作成・実行処理のフローチャートである。
【図１１】本発明の実施の形態３を説明するもので、ダビングリストの画面（追加ダビング）イメージ図である。
【図１２】ダビング実行時の選択確認画面イメージ図である。
【符号の説明】
【００３５】
１  チューナ部
２  画像データ作成部
３  制御部
４  入力部
５  第１の記録媒体（ＨＤＤ）
６  第２の記録媒体（ＤＶＤ）
７  情報記録部
８  画像処理部
９  表示画面生成部
１０  出力部
１１  ディスク交換装置
【図１】
2008251128.tif 000003
【図２】
2008251128.tif 000004
【図３】
2008251128.tif 000005
【図４】
2008251128.tif 000006
【図５】
2008251128.tif 000007
【図６】
2008251128.tif 000008
【図７】
2008251128.tif 000009
【図８】
2008251128.tif 000010
【図９】
2008251128.tif 000011
【図１０】
2008251128.tif 000012
【図１１】
2008251128.tif 000013
【図１２】
2008251128.tif 000014